(57)【要約】【課題】本発明は、例えば、プリント基板に表面実装等されて、小型のメモリーカードを収納するスロットコネクタに関し、大きさの異なるメモリーカードを収納できるとともに、誤挿入を防止できるようにすることが課題である。【解決手段】平板状で大きさの異なる大形と小形の２種類のメモリーカードを挿脱自在に収納できるスロットコネクタであって、前記２種類のメモリーカードを収納する収納空間部が重畳して設けられ、各前記収納空間部の一端部側に接続用のコンタクトが併設され、前記収納空間部のうち前記大形のメモリーカードを収納する収納空間部には、前記小形のメモリーカードの挿入を阻止する誤挿入阻止手段１５，１６，１７，１８、１９が設けられているスロットコネクタ１とする。【選択図】　図３
2004063255.tif 000002
【特許請求の範囲】
【請求項１】
平板状で大きさの異なる大形と小形の２種類のメモリーカードを挿脱自在に収納できるスロットコネクタであって、
前記２種類のメモリーカードを収納する収納空間部が重畳して設けられ、
各前記収納空間部の一端部側に接続用のコンタクトが併設され、
前記収納空間部のうち前記大形のメモリーカードを収納する収納空間部には、前記小形のメモリーカードの挿入を阻止する誤挿入阻止手段が設けられていること、
を特徴とするスロットコネクタ。
【請求項２】
重畳された収納空間部の開口部には、該開口部を閉蓋する揺動自在な蓋部材が設けられ、前記収納空間部の一方にメモリーカードが収納された際には当該一方のメモリーカーにより揺動されて他方の収納空間部の開口部を閉蓋するものであること、
を特徴とする請求項１に記載のスロットコネクタ。
【請求項３】
誤挿入阻止手段は、小形のメモリーカードが収納空間部に収納された際に、浮き上がりを防止する浮き防止部材に兼用されるものであること、
を特徴とする請求項１または２に記載のスロットコネクタ。
【発明の詳細な説明】
【０００１】
【発明の属する技術分野】
本発明は、例えば、プリント基板に表面実装等されて、小型のメモリーカードを収納するスロットコネクタに関する。
【０００２】
【従来の技術】
従来、カーナビゲーション、携帯電話、パーソナルコンピューター、ＰＤＡ、デジタルカメラ、携帯用音楽プレーヤー等に使用されるメモリーカードとして、メモリースティック（商標）がある。そして、このメモリースティックに画像データ若しくは音楽データ等を記録（例えば、８ＭＢ〜６４ＭＢ）し、それを再生装置に装着して画像再生若しくは音楽再生等を行うものである。
【０００３】
前記メモリースティック２１は、図１６（Ａ），（Ｂ）に示すように、その大きさが２１．５（幅）×２．８（厚み）×５０（奥行き）（ｍｍ）であるが、更なる機器の小型化のために、同様の性能を維持しつつメモリーカードを小型化したものに、図１７（Ａ），（Ｂ）に示すように、メモリースティックデュオ２２が形成されている。このカードの大きさは、その単体において、２０（幅）×１．６（厚み）×３１（奥行き）（ｍｍ）である。
【０００４】
前記メモリースティック２１とメモリースティックデュオ２２との両メモリーカードには、それぞれに、機器装置側のプリント基板の回路に電気的に接続させるため、カード挿着・脱着装置であるスロットコネクタ（図示せず）が用意されている。
【０００５】
【発明が解決しようとする課題】
そこで、前記大きさの異なる２種類のメモリーカードが存在することから、再生等の機器装置側において、プリント基板に当該２種類のメモリーカードを装着可能とすれば消費者等にとって便宜となるので、プリント基板の片面若しくは両面に２種類のスロットコネクタを設けることが行われる。しかし、単に、前記２種類のスロットコネクタを設けただけでは部品点数の増加となりコスト及び基板面積の有効利用にならない。よって、一つのスロットコネクタで前記２種類のメモリーカードが装着され使用できるようにしなければならない。
【０００６】
その場合、前記２種類のメモリーカードを同時に使用できることが条件であれば、スロットコネクタの筐体を共通化させる程度の改良にとどまるが、前記大きさの異なる２種類のメモリーカードのうち、いずれか一つのメモリーカードが収納・装着されて使用できるようにするスロットコネクタでは、前記小さい方のメモリースティックデュオが、大きい方のメモリースティック用のカード収納空間部に入り込む可能性がある（この逆は、物理的に不可能である）。共通化させるスロットコネクタには、このように大きさの異なるメモリーカードの誤挿入・誤装着を防止しなければならないという課題がある。本発明に係るスロットコネクタは、このような課題を解消するために提案されたものである。
【０００７】
【課題を解決するための手段】
本発明に係るスロットコネクタの上記課題を解決するための要旨は、平板状で大きさの異なる大形と小形の２種類のメモリーカードを挿脱自在に収納できるスロットコネクタであって、前記２種類のメモリーカードを収納する収納空間部が重畳して設けられ、各前記収納空間部の一端部側に接続用のコンタクトが併設され、前記収納空間部のうち前記大形のメモリーカードを収納する収納空間部には、前記小形のメモリーカードの挿入を阻止する誤挿入阻止手段が設けられていることである。
【０００８】
前記重畳された収納空間部の開口部には、該開口部を閉蓋する揺動自在な蓋部材が設けられ、前記収納空間部の一方にメモリーカードが収納された際には当該一方のメモリーカーにより揺動されて他方の収納空間部の開口部を閉蓋するものであること、；
前記誤挿入阻止手段は、小形のメモリーカードが収納空間部に収納された際の、浮き上がりを防止する浮き防止部材に兼用されること、を含むものである。
【０００９】
本発明に係るスロットコネクタによれば、例えば、メモリースティックとメモリースティックデュオのように、大きさの異なるメモリーカードを一つのスロットコネクタにより、機器装置に装着して、画像若しくは音楽等を再生することができる。この場合、前記両メモリーカードを同時にスロットコネクタに装着することも可能であり、また、収納空間部の開口部を閉蓋する揺動自在な蓋部材を設けることで、一方のメモリーカードがこのスロットコネクタに装着されると、他方のスロットコネクタは装着できないようにすることができる。
また、前記誤挿入防止部材を、小形のメモリーカードの浮き上がりを防止する浮き防止部材として兼用させることができる。よって、小形のメモリーカード用の天板を省くことができる。
【００１０】
【発明の実施の形態】
次に、本発明に係るスロットコネクタについて図面を参照して説明する。なお、発明の理解を容易にするため、従来例に対応する部分には、従来例と同一符号を付けて説明する。
【００１１】
本発明のスロットコネクタ１は、図１に示すように、平板状で大きさの異なる大形と小形の２種類のメモリーカードである、例えば、図１６に示すメモリースティック２１と、図１７に示すメモリースティックデュオ２２とを挿脱自在に収納できるスロットコネクタである。
【００１２】
前記スロットコネクタ１は、合成樹脂製の絶縁ハウジングである筐体２と、図２に示すように、該筐体２に設けられたコンタクト３、４がある。スロットコネクタ１の後方側の前記コンタクト３は、メモリースティック２１用であり、同じく前方側の前記コンタクト４は、メモリースティックデュオ２２用である。
【００１３】
前記筐体２の左右側面と上面をカバーするようにして、金属製のシェル５が設けられている。また、スロットコネクタ１の前方側の開口部には、該開口部を閉蓋した初期位置から上下方向に揺動して開閉する蓋部材６が設けられている。
【００１４】
前記蓋部材６は、左右側縁に揺動腕部６ａ，６ｂが設けられ、該揺動腕部６ａ，６ｂを前記初期位置に保持するトーションバネ７が設けられている。また、この蓋部材６の前端面６ｃは、図１（Ｃ）に示すように、上下方向の中央部から傾斜されて、山形（三角形）に形成されている。これは、前記メモリースティック２１若しくはメモリースティックデュオ２２が装着される際に、傾斜面にかかる当接力の分力により上下方向のいずれかの方向に回動させて開口部を開口させるようにするためである。
【００１５】
前記揺動腕部６ａ，６ｂの揺動範囲については、上下方向に制限無く自由回動できるものであると、例えば、下側の収納空間部１４にメモリースティックデュオ２２が装着された後に、上側の収納空間部１３にメモリースティック２１を挿入しようとした場合、前記揺動腕部６ａ，６ｂが更に上側に揺動して開口部が開口してしまい、同時装着が可能となってしう。よって、いずれか一方のメモリーカード２１，２２のみが、このスロットコネクタ１に装着できるように、前記揺動腕部６ａ，６ｂの揺動範囲が、筐体２に突設される突起状のストッパー等により、揺動範囲が制限されているものである。
【００１６】
このほか、スロットコネクタ１には、片側側面の内側に、押出し用のコイルスプリング８（図１（Ｂ）参照）と、図３に示すように、プッシュ−プッシュ型スイッチ用のハートカム溝９と、先端が前記ハートカム溝９に係合して揺動するロックピン１０と、前記ハートカム溝９を側面に有してメモリーカード２１，２２で後方に押込まれ前記コイルスプリング８で前方に移動されて前後方向に摺動するロック板１１と、等が設けられており、前記メモリーカード２１，２２を脱着させるプッシュ−プッシュ型スイッチ機構が備えられている。また、このスロットコネクタ１をプリント基板上に半田付けして固着するための固定金具（ホールドダウン）１２が側縁の４箇所に設けられている。
【００１７】
前記スロットコネクタ１において、筐体２とシェル５とに囲まれた内部空間には、前記大きさと厚さの異なる２種類のメモリーカード２１，２２を収納する収納空間部１３，１４が、前方側に挿入口を開口させて重畳して設けられている。
【００１８】
図２（Ｂ）に示すように、上側に、大形のメモリースティック２１用の収納空間部１３が配設され、下側に、小形のメモリースティックデュオ２２用の収納空間部１４が配設されている。そして、上下の空間の仕切りとなる天井板は設けられていない。
【００１９】
又、図３に示すように、前記収納空間部１３において、その開口部の左右両脇に開閉バー１５，１６が、支持軸を中心に回転自在にして、且つ、前後方向に回転された場合には左右方向に戻るように付勢され、メモリーカード用の誤挿入阻止手段として設けられている。
【００２０】
更に、前記収納空間部１３の後方には、小形のメモリースティックデュオ２２の挿入を阻止する誤挿入阻止手段として、誤挿入阻止バー１７，１８が設けられている。そして、前記開閉バー１５，１６と同様に、支持軸を中心に回転自在にして、且つ、前後方向に回転された場合には左右方向に戻るように付勢されている。
【００２１】
また、前記誤挿入阻止手段として、前記収納空間部１３には、前記誤挿入阻止バー１７，１８の前後方向への回転を許容するスイッチスプリング１９が左右側部に設けられている。これは、スイッチスプリング１９の途中の山形突起１９ａが収納空間部３から待避するように押し込まれると、後端部１９ｂが前記誤挿入阻止バー１７，１８の係止部１７ａ，１８ａから離間されて、当該誤挿入阻止バー１７，１８の前後方向への回転が許容されるものである。よって、前記山形突起１９ａの両方が同時に空間部３から待避されたときに、誤挿入阻止バー１７，１８が回転されるようになるものである。
【００２２】
このように、前記開閉バー１５，１６と、誤挿入阻止バー１７，１８と、前記スイッチスプリング１９とが誤挿入阻止手段を形成するものである。この誤挿入阻止手段のうち、開閉バー１５，１６と、誤挿入阻止バー１７，１８とは、小形のメモリースティックデュオ２２が下側の収納空間部１４に収納された際に、該メモリースティックデュオ２２の浮き上がりを防止する浮き防止部材に兼用される。このように、浮き防止部材に兼用させることで、メモリースティックデュオ２２用の天井板を設ける必要が無くなり、内部空間（収納空間部１３，１４）の上下方向の高さを少しでも低くすることができるのである。
【００２３】
なお、図３中のロックスプリング２０ａ，２０ｂは、空間部１３，１４に装着されたメモリーカード２１，２２の側壁部に設けられた凹部に嵌合して、当該カードの収納空間部１３，１４からの抜け防止用にロック作用するものである。
【００２４】
このようにして形成されたスロットコネクタ１の使用方法を説明する。まず、図４に示すように（説明の便宜上、シェル５は外して示している）、形状の大きいメモリースティック２１である場合には、それを収納空間部１３に挿入するため、挿入側端部２１ａを蓋部材６に当接させる。
【００２５】
前記挿入端部２１ａの傾斜端面と、蓋部材６の山形の前端面６ｃとが当接し、更に、その一方が押し込まれることで、図５に示すように、揺動腕部６ａ，６ｂがトーションバネ７の弾発力に抗して下側に揺動する。こうして、蓋部材６が下に移動して収納空間部１３に連通する開口部が開口する。
【００２６】
次に、メモリースティック２１を後方に押し込むと、図６に示すように、開閉バー１５，１６が挿入端部２１ａに押されて、各々時計方向・反時計方向に回動される。更に、図７に示すように、スイッチスプリング１９、１９が、メモリースティック２１の側壁によって押され、各々時計方向・反時計方向に回動される。これにより、後端部１９ｂが誤挿入阻止バー１７，１８の係止部１７ａ，１８ａから離間する。よって、前記誤挿入阻止バー１７，１８が回動禁止状態から回動可能状態になる。
【００２７】
そして、図８に示すように、メモリースティック２１の挿入端部２１の収納空間部１３への進入により、前述のように回動可能状態になった誤挿入阻止バー１７，１８が、各々時計方向・反時計方向に回動される。
【００２８】
前記挿入端部２１ａが更に後方に進入して、ロック板１１を後方に押し込むとともにコイルスプリング８をその付勢力に抗して後方に引っ張り、ハートカム溝９の停止位置で止まる。その位置で、メモリーカード側のコンタクトがスロットコネクタ１のコンタクト３に当接する。こうして、メモリースティック２１の画像・音楽等のデータが入出力されるものである。
【００２９】
前記収納空間部１３に装着されたメモリースティック２１は、図９に示すように、プッシュ−プッシュ型スイッチ機構により、コイルスプリング８で前方に戻されるロック板１１によって前方に押し出される。その後は、手で抜き取って脱着させるものである。前記メモリースティック２１は、形状の大きいメモリーカードであるので、狭い収納空間部１４には物理的に挿入することができないので、誤挿入と言うことがない。
【００３０】
次に、大きさの小さいメモリースティックデュオ２２を収納空間部１４に挿入する場合と、収納空間部１３に挿入された場合とを説明する。図１０に示すように、挿入側端部２２ａを蓋部材６の前端面６ｃの下側に当接させる。
【００３１】
図１１に示すように、揺動腕部６ａ，６ｂがトーションバネ７の弾発力に抗して下側に揺動して、蓋部材６が上側に移動し、収納空間部１４に対応する開口部が開口する。なお、収納空間部１３の開口部は閉蓋されている。そして、図１２（Ｂ）に示すように、例えば、収納空間部１４にメモリースティックデュオ２２が挿入された場合には、開閉バー１５，１６及び誤挿入阻止バー１７，１８が図１４に示すように、天井の代わりとなって浮き上がりが防止され、後方のコンタクト４に当該メモリースティックデュオ２２のコンタクトが当接する。
【００３２】
一方、前記メモリースティックデュオ２２を、図１２（Ｃ）に示すように、蓋部材６を上に押し上げて、収納空間部１３に誤って挿入してしまった場合について説明する。この場合、図１３に示すように、収納空間部１３の開閉バー１５，１６を押し回して、メモリースティックデュオ２２が後方に挿入されるが、このカードの幅が狭いため、両スイッチスプリング１９、１９の山形突起１９ａに両方同時に当接し、該山形突起１９ａを左右に押し込むことができない。
【００３３】
よって、少なくともいずれか一方の後端部１９ｂが誤挿入阻止バー１７，１８の係止部１７ａ，１８ａの片方から離間しないことになる。これにより、前記メモリースティックデュオ２２は、回動しない誤挿入阻止バー１７，１８のいずれかの前端面に衝突することとなって、図３に示す状態までしか、収納空間部１３に進入することができない。
【００３４】
このように、たとえメモリースティックデュオ２２が、収納空間部１３に誤って挿入されても、前記誤挿入阻止手段により後方への親友が防止される。よって、コンタクト３の前方接続部が前記メモリースティックデュオ２２の前端部で無理矢理に押され、変形してしまうというおそれがないものである。
【００３５】
そして、収納空間部１４に正常に装着されたメモリースティックデュオ２２は、図１５に示すように、前述と同様のプッシュ−プッシュ型スイッチ機構により、コイルスプリング８で前方に戻されるロック板１１（図３参照）によって前方に押し出される。その後は、手で抜き取って脱着させるものである。
【００３６】
なお、このスロットコネクタ１において、他の実施態様として図示していないが、前記蓋部材６及びそのトーションバネ７を取り外せば、大きさの異なるメモリーカード２１，２２を同時に収納空間部１３，１４に装着することができるようになる。このメモリーカード２１，２２を同時に使用する必要があるときには便宜となるものである。
【００３７】
【発明の効果】
以上説明したように、本発明に係るスロットコネクタ１は、平板状で大きさの異なる大形と小形の２種類のメモリーカードを挿脱自在に収納できるスロットコネクタであって、前記２種類のメモリーカードを収納する収納空間部が重畳して設けられ、各前記収納空間部の一端部側に接続用のコンタクトが併設され、前記収納空間部のうち前記大形のメモリーカードを収納する収納空間部には、前記小形のメモリーカードの挿入を阻止する誤挿入阻止手段が設けられているので、大きさの異なるメモリーカードの内ち、小さい方のメモリーカードを誤って大きい方のメモリーカード用の収納空間部に挿入・装着しようとしても防止されて、誤挿入によるコンタクトの変形作用が防止される。また、大きさの異なる２種類のメモリーカードを同時に使用することができる。
【００３８】
前記重畳された収納空間部の開口部には、該開口部を閉蓋する揺動自在な蓋部材が設けられ、前記収納空間部の一方にメモリーカードが収納された際には、当該一方のメモリーカードにより揺動されて他方の収納空間部の開口部を閉蓋するものであるので、いずれか一方のメモリーカードしか装着されないようにすることができる。
【００３９】
誤挿入阻止手段は、小形のメモリーカードが収納空間部に収納された際に、浮き上がりを防止する浮き防止部材に兼用されるものであるので、当該小形のメモリーカードが、例えば、自動車の走行時における外部からの振動等によって、浮き上がるような不都合が防止され、更に、天井板を省略して上下方向の厚さを薄くすることができるものである。
【図面の簡単な説明】
【図１】本発明に係るスロットコネクタ１の、平面図（Ａ）、左右側面図（Ｂ），（Ｃ）である。
【図２】同本発明に係るスロットコネクタ１の正面図（Ａ）と、側方断面図（Ｂ）である。
【図３】同本発明に係るスロットコネクタ１において、シェル５を外した状態の平面図である。
【図４】同本発明に係るスロットコネクタ１において、メモリースティック２１を装着させる様子を示す説明図（Ａ）と、その断面図（Ｂ）である。
【図５】同本発明に係るスロットコネクタ１において、メモリースティック２１を装着させる様子を示す説明図（Ａ）と、その断面図（Ｂ）と、側面図（Ｃ）である。
【図６】同本発明に係るスロットコネクタ１において、メモリースティック２１を装着させる様子を示す説明図（Ａ）と、その断面図（Ｂ）である。
【図７】同本発明に係るスロットコネクタ１において、メモリースティック２１を装着させる様子を示す説明図（Ａ）と、その断面図（Ｂ）である。
【図８】同本発明に係るスロットコネクタ１において、メモリースティック２１が装着された様子を示す説明図（Ａ）と、その断面図（Ｂ）である。
【図９】同本発明に係るスロットコネクタ１において、メモリースティック２１を脱着させる様子を示す説明図（Ａ）と、その断面図（Ｂ）である。
【図１０】同本発明に係るスロットコネクタ１において、メモリースティックデュオ２２を装着させる様子を示す説明図（Ａ）と、その断面図（Ｂ）である。
【図１１】同本発明に係るスロットコネクタ１において、メモリースティックデュオ２２を装着させる様子を示す説明図（Ａ）と、その断面図（Ｂ）である。
【図１２】同本発明に係るスロットコネクタ１において、メモリースティックデュオ２２を装着させる様子を示す説明図（Ａ）と、収納空間部１４に装着させている場合の断面図（Ｂ）と、収納空間部１３に装着させている場合の断面図（Ｃ）とである。
【図１３】同本発明に係るスロットコネクタ１において、メモリースティックデュオ２２を誤って収納空間部１３に装着させようとして、誤挿入阻止バー１７，１８に阻止されている様子を示す説明図（Ａ）と、その断面図（Ｂ）である。
【図１４】同本発明に係るスロットコネクタ１において、メモリースティックデュオ２２を収納空間部１４に正常に装着させた様子を示す説明図（Ａ）と、その断面図（Ｂ）である。
【図１５】同本発明に係るスロットコネクタ１において、メモリースティックデュオ２２を収納空間部１４から脱着させる様子を示す説明図（Ａ）と、その断面図（Ｂ）である。
【図１６】大きさの異なる２種類のメモリーカードの内、大形のメモリーカードであるメモリースティック２１の断面図（Ａ）と、平面図（Ｂ）である。
【図１７】大きさの異なる２種類のメモリーカードの内、小形のメモリーカードであるメモリースティックデュオ２２の断面図（Ａ）と、平面図（Ｂ）である。
【符号の説明】
１　　　　　スロットコネクタ、　　　　２　　　　　筐体、
３　　　　　コンタクト、　　　　　　　４　　　　　コンタクト、
５　　　　　シェル、　　　　　　　　　６　　　　　蓋部材、
６ａ，６ｂ　揺動腕部、　　　　　　　　６ｃ　　　　前端面、
７　　　　　トーションバネ、　　　　　８　　　　　コイルスプリング、
９　　　　　ハートカム溝、　　　　　　１０　　　　ロックピン、
１１　　　　ロック板、　　　　　　　　１２　　　　固定金具、
１３　　　　収納空間部、　　　　　　　１４　　　　収納空間部、
１５，１６　開閉バー、　　　　　　　　１７　　　　誤挿入阻止バー、
１７ａ　　　係止部、　　　　　　　　　１８　　　　誤挿入阻止バー、
１８ａ　　　係止部、　　　　　　　　　１９　　　　スイッチスプリング、
１９ａ　　　山形突起、　　　　　　　　１９ｂ　　　後端部、
２０ａ，２０ｂ　ロックスプリング、
２１　　　　メモリースティック（メモリーカード）、
２１ａ　　　挿入端部、
２２　　　　メモリースティックデュオ（メモリーカード）。
【図１】
2004063255.tif 000003
【図２】
2004063255.tif 000004
【図３】
2004063255.tif 000005
【図４】
2004063255.tif 000006
【図５】
2004063255.tif 000007
【図６】
2004063255.tif 000008
【図７】
2004063255.tif 000009
【図８】
2004063255.tif 000010
【図９】
2004063255.tif 000011
【図１０】
2004063255.tif 000012
【図１１】
2004063255.tif 000013
【図１２】
2004063255.tif 000014
【図１３】
2004063255.tif 000015
【図１４】
2004063255.tif 000016
【図１５】
2004063255.tif 000017
【図１６】
2004063255.tif 000018
【図１７】
2004063255.tif 000019